(57)【要約】【課題】多点ＡＦの測距点の選択とＡＦ自動選択モードとＡＦ任意選択モードの切換えを簡単に行う。【解決手段】カメラ背面の親指で操作できる位置に左右又は上下方向へ測距点を切換える少なくとも一対の入力部材の中間にＡＦ自動選択部材を配置しワンタッチでＡＦ自動選択モードへ切換えできる様にした。又ＡＦ自動選択時に再度押すと任意選択へ切り換える様に構成すると共にＡＦ自動選択モード時には任意選択部材の入力を受け付けない様に構成している。【選択図】　　　　図１
2004012496.tif 000002
【特許請求の範囲】
【請求項１】
複数の測距点を有しカメラが自動的にピント合わせを行う測距点を選択する自動選択モードと撮影者がピント合わせを行う測距点を選択する任意選択モードを有するカメラにおいて、相対向する方向へ配置された少なくとも一対の第一の入力部材と、前記第一の入力部材の相対向する中間位置に配置された第二の入力部材とを有し、前記第一の入力部材の操作により各測距点の選択を行い、前記第二の入力部材により前記自動選択モードと前記任択選択モードとを順次切り替え可能としたとを特徴とするカメラの入力装置。
【請求項２】
複数の測距点を有しカメラが自動的にピント合わせを行う測距点を選択する自動選択モードと撮影者がピント合わせを行う測距点を選択する任意選択モードを有するカメラにおいて、相対抗する方向へ配置された少なくとも一対の第一の入力部材と、前記第一の入力部材の相対向する中間位置に配置された第二の入力部材とを有し、前記第一の入力部材の操作により各測距点の選択を行い、前記第二の入力部材により前記自動選択モードと前記任意選択モードとを順次切り替え可能とし前記自動選択モード時には前記第一の入力部材の入力を受付無い様にしたことを特徴とするカメラの入力装置。
【発明の詳細な説明】
【０００１】
【発明の属する技術分野】
本発明はカメラの入力装置に関するものである。
【０００２】
【従来の技術】
従来この種のカメラは、特開平１−２８８８４５号公報の様に測距点切り替えボタンを押して測距点切り替えモードにして別のダイヤル操作で測距点を一クリックに応じて隣の測距点へ移動したり、両端位置へ突き当たると自動選択モードへ切り替わったりしていた。多点測距でも横一列の場合は、特開平１−２８８８４５号公報の様な構成でもさほど不便さはなかったが、最近のとく特開平１１−１４２７２４号公報の様に測距点が縦方向と横方向に広がってくると共に測距点の数が増えてくると、一つのダイヤルで縦横両方向の操作を行わせるのは、操作部材の操作方向と測距点の移動結果に不自然さが出てくる。
【０００３】
また縦横の操作に合わせてそれぞれ専用のダイヤルを配置するとカメラが大型化すると共に、コストアップになってしまう。
【０００４】
測距点の移動と自動選択モードの切り替えという概念の異なる操作を、同一部材で行わせるのは感覚的に不自然であり、さらに自動選択への切り替えは、測距点を端部まで移動した後に行われるので、中央位置に測距点がある場合すぐに自動選択モードへの切り替えができないという問題があった。
【０００５】
【発明が解決しようとする課題】
１．測距点が縦横に広がってくると一つの操作部材で操作すると感覚的に違和感が出てくる。
【０００６】
２．縦横で専用のダイヤルを設けると大型化するとともにコストアップする。
【０００７】
３．また自動選択モードと各測距点の選択とは概念が異なるものであって、これを同一の部材で行わせるのは測距点が縦横に広がったり、数が増えてくると無理が出てくる。
【０００８】
４．自動選択モードに入るためには、端部まで移動しなければならずこの点で操作性が悪い。
【０００９】
５．自動選択モードボタンを独立に持たせると測距点の切り替えと、自動選択モードへの切り替えが別操作になるのでかえって操作性が悪くなる。
【００１０】
６．又自動選択モードを独立させると、任意選択の受付タイミングをいつにするか問題が出てくる。
【００１１】
【課題を解決するための手段】
この様な課題を解決するために相対向する方向へ配置された少なくとも一対の第一の入力部材と、前記第一の入力部材の相対向する中間位置に配置された第二の入力部材とを有し、前記第一の入力部材の操作により各測距点の選択を行い、前記第二の入力部材により前記自動選択モードと前記任意選択モードとを順次切り替え可能とした。
【００１２】
また、相対抗する方向へ配置された少なくとも一対の第一の入力部材と、前記第一の入力部材の相対向する中間位置に配置された第二の入力部材とを有し、前記第一の入力部材の操作により各測距点の選択を行い、前記第二の入力部材により前記自動選択モードと前記任意選択モードとを順次切り替え可能とし前記自動選択モード時には前記第一の入力部材の入力を受付無い様にした。
【００１３】
【発明の実施の形態】
（実施形態１）
第１図はカメラ全体を表わす図である。１はカメラ本体である。２はレリーズボタンで２段階のストロークを有し、一般的に第一ストロークで測光やオートフォーカス動作を行う。第二ストロークでシャッターレリーズを行う。３は電子ダイヤルで一般的にシャッタースピードや絞り値等のカメラの設定値を入力する。
【００１４】
４はモードダイヤルでカメラの露出モードの設定を行う。５はファインダ窓で撮影する被写体が観察できる。６は外部表示で一般的に液晶で構成され、設定されたシャッタースピードや絞り値が表示される。又フィルムカウンターや電池の残量も表示される。更に複数の測距点の内選択された測距点の位置を表示する。７はカメラ背面に配されファインダーを見たまま右手親指で操作可能な測距点選択部材で左，右，上，下，に測距点を選択可能な独立の操作部材を有し押し込む事によって不図示のスイッチがオンし入力を受けつける。更に左右上下の操作部材の中心にＡＦ自動選択ボタンが配されている。このボタンをはさんで左右の操作部材と上下の操作部材がそれぞれ相対向する様に構成されている。８は撮影レンズでカメラ本体に着脱式に構成されている。
【００１５】
図２は図１の測距点選択部材７を詳しく説明する図である。
【００１６】
７ａが中心に配されたＡＦ自動選択ボタンで押し込むことによりスイッチＳＷ１がオンしＡＦモードを複数の測距点からカメラが自動的に選んでオートフォーカスを行うＡＦ自動選択モードへ切り換える。更にもう一度押すとＡＦ自動選択モードを解除して任意に測距点を選択可能なＡＦ任意選択モードに切り換える。７ｂは測距点を右方向に動かす任意選択ボタンでＳＷ５がオンする。７ｃは測距点を下方向へ動かす任意選択ボタンでＳＷ４がオンする。７ｄは測距点を左方向へ動かす任意選択ボタンでＳＷ２がオンする。７ｅは測距点を上方向へ動かす任意選択ボタンでＳＷ３がオンする。前記ＡＦ自動選択ボタン７ａは、前記左右方向へ測距点を動かす任意選択ボタン７ｄ，７ｂが相対向する位置にある。また前記上下方向へ測距点を動かす任意選択ボタン７ｅ，７ｃも前記ＡＦ自動選択ボタン７ａに対して相対向する位置にある。
【００１７】
図３〜図５はファインダー内及び前記外部表示６に表示される測距点位置表示である。ファインダー内では不図示のスーパーインポーズ装置によって選ばれた測距点が照明表示される。又前記外部表示６には液晶にて表示される。本発明では図の様に９ａ〜９ｉの９ヶの測距点が選択できる。
【００１８】
図６は本発明のフローを説明したフローチャートである。
【００１９】
次に上記構成において不図示のメインＳＷをオンし測距点の選択を行う。
【００２０】
図６にてステップ１の状態である。ステップ２で前記ＡＦ自動選択ボタン７ａが押されるかどうか判定する前記ＡＦ自動選択ボタン７ａが押されるとＳＷ１がオンし、ステップ３へ移行する。ステップ３ではカメラのＡＦモードを自動選択モードにセットする。この時図５に示す様に測距点９ａ〜９ｉでは全て点燈し自動選択モードになっていることを表示する。次にステップ４にてＡＦ自動選択ボタンが再度押されるかどうか判定する。再度押されるとステップ５へ移行しＡＦモードを任意選択モードにセットする。次にステップ６へ進み前に任意選択された測距点位置を点燈させる。最初にカメラを操作した場合は図３に示す様に中央の９ｅがセットされる。
【００２１】
次にステップ２にて前記ＡＦ自動選択ボタンが操作されたかった場合はステップ７〜ステップ１０へ移行し、前記任意選択ボタン７ｂ〜７ｄの操作を判定する。７ｂが操作されるとステップ１０へ移行しスイッチＳＷ５がオンしステップ１４へ移行する。この時図４に示す様に９ｅの右の９ｆが点燈し測距点が右へ移動したことを表示される。また移動した９ｆの位置が記憶される。同様に７ｄが押されるとステップ７からステップ１１へ移行し測距点が左へ移動する。
【００２２】
７ｅが押されるとステップ８からステップ１２へ移行し測距点が上へ移動する。
【００２３】
７ｃが押されるとステップ９からステップ１３へ移行し測距点が下へ移動する。
【００２４】
図４の様に９ｆが点燈した状態で７ｂが押されると右へは移動できないので測距点は移動しない。この場合は上又は左、又は下への移動のみ可能である。
【００２５】
次にステップ１６へ進み前記ＡＦ自動選択ボタン７ａの判定を行う。
【００２６】
７ａが押されるとステップ３へ移行し、押されなかったらステップ１７へ移行する。
【００２７】
前記ステップ４にて前記ＡＦ自動選択ボタン７ａが押さなかった場合はステップ１５へ移行しＳＷ２，ＳＷ３，ＳＷ４，ＳＷ５の受け付けを禁止する。
【００２８】
すなわちＡＦ自動選択モードにセットされていると７ｂ，７ｃ，７ｄ，７ｅの任意選択ボタンを操作しても入力を受け付けない様にしてある。これは不用意に７ｄ〜７ｅが操作されて自動選択モードが切り換るのを防ぐ為である。
【００２９】
任意選択を可能とするにはステップ４にて自動選択ボタン７ａを押すことにより任意選択モードにセットされる。前述の様に前記自動選択ボタン７ａは任意選択ボタン７ｂ〜７ｅの中央にあるので不用意に操作し難い位置にある。
【００３０】
次にステップ１７へ進み前記レリーズボタン２の第一ストロークがオンすることによりＡＦＳＷがオンしステップ１８へ進み公知のＡＦ動作が行われる。この場合自動選択モードにセットされていれば９ａ〜９ｉの中からカメラが自動的に測距点を選んでＡＦ動作を行われる。また任意選択モードであれば選択された測距点にてＡＦ動作が行われる。
【００３１】
本実施例では上下左右へ移動可能にＡＦを構成しているが左右のみ、又は上下のみに構成してもかまわない。
【００３２】
【発明の効果】
以上説明したように、本出願に係る第一の発明によれば少なくとも一対の相対向する方向へのＡＦ測距点移動部材の中間位置にＡＦ自動選択部材を配置しワンタッチで自動選択への切換を可能にしている。又再度の操作により任意選択への切換を可能にしている。
【００３３】
更にＡＦの測距点切換に関する操作部材をカメラ背面に親指のみで操作できる様にしているのでファインダーを見たままで軽快に操作が可能となっている。
【００３４】
また本出願に係る第２の発明によれば自動選択モード時に任意選択ボタンを操作しても受け付けない様にしているので不用意にモードが変わってしまう欠点も解消している。
【図面の簡単な説明】
【図１】カメラ全体を示す図。
【図２】測距点選択部材を示す図。
【図３】測距点位置表示を示す図。
【図４】測距点位置表示を示す図。
【図５】測距点位置表示を示す図。
【図６】本発明のフローを示す図。
【符号の説明】
１　カメラ本体
２　レリーズボタン
７　測距点選択部材
９　測距点表示
【図１】
2004012496.tif 000003
【図２】
2004012496.tif 000004
【図３】
2004012496.tif 000005
【図４】
2004012496.tif 000006
【図５】
2004012496.tif 000007
【図６】
2004012496.tif 000008